(57)【要約】【課題】簡単な構造でプッシュノブを間接照明して夜間での操作性を高めることができる操作スイッチパネルを提供すること。【解決手段】ケース２の前面を覆うパネル３にプッシュノブ４ａ〜４ｃとその機能を示す表示部５ａ〜５ｃを配置するとともに、前記ケース２内の隔壁２Ａによって区画された空間Ｓ内に、前記表示部５ａ〜５ｃの夜間照明用のＬＥＤ（光源）７を配置して成る操作スイッチパネル１において、前記隔壁２Ａの一部に切欠部２ａを形成し、該切欠部２ａから漏れる前記ＬＥＤ（光源）７の光の一部で前記プッシュノブ４ａ〜４ｃを間接照明するよう構成する。又、前記プッシュノブ４ａ〜４ｃの表面にメッキ処理又は銀色塗装処理を施す。【選択図】図２
2017091985.tif 000002
【特許請求の範囲】
【請求項１】
ケースの前面を覆うパネルにプッシュノブとその機能を示す表示部を配置するとともに、前記ケース内の隔壁によって区画された空間内に、前記表示部の夜間照明用の光源を配置して成る操作スイッチパネルにおいて、
前記隔壁の一部に切欠部を形成し、該切欠部から漏れる前記光源の光の一部で前記プッシュノブを間接照明するよう構成したことを特徴とする操作スイッチパネル。
【請求項２】
前記プッシュノブは、その表面がメッキ処理又は銀色塗装処理されていることを特徴とする請求項１記載の操作スイッチパネル。
【発明の詳細な説明】
【技術分野】
【０００１】
本発明は、パネルにプッシュノブとその機能を示す表示部を配置して成る操作スイッチパネルに関するものである。
【背景技術】
【０００２】
例えば、自動車の車室内に設けられる操作スイッチパネルには、空調のＯＮ／ＯＦＦ、風の吹出方向等を制御するためのプッシュノブとその機能を示す表示部が設けられており、表示部は、これを夜間でも視認することができるように光源からの光によって照明されるようになっている(例えば、特許文献１参照)。ここで、従来の操作スイッチパネルの一例を図３に示す。
【０００３】
即ち、図３は従来の操作スイッチパネルの部分断面図であり、図示の操作スイッチパネル１０１においては、ケース１０２の前面開口部がパネル１０３によって覆われており、このパネル１０３の一部にはプッシュノブ１０４の頭部（操作部）が突出している。そして、パネル１０３のプッシュノブ１０４の上側には、プッシュノブ１０４の機能を示す不図示の表示部が設けられている。
【０００４】
又、ケース１０２の内部には、ケース１０２に一体に形成された隔壁１０２Ａによって空間Ｓが形成されており、ケース１０２の奥側に配置された基板１０６には、前記空間Ｓに臨むＬＥＤ（発光ダイオード）１０７と、前記プッシュノブ１０４によって操作されるタクトスイッチ１０８が実装されている。
【０００５】
而して、夜間においては、ＬＥＤ１０７が起動されて発光するが、その光は、ケース１０２内の空間Ｓを前方（図３の左方）に向かって進み、パネル１０３に配置された表示部を照明するため、表示部が夜間においても乗員によって視認される。ここで、隔壁１０２Ａは、その先端部がパネル１０３の内面に突き当てられており、ＬＥＤ１０７からの光が空間Ｓ外へと漏れないようになっている。
【先行技術文献】
【特許文献】
【０００６】
【特許文献１】実開平５−０９３９２２号公報
【発明の概要】
【発明が解決しようとする課題】
【０００７】
しかしながら、図３に示す従来の操作スイッチパネル１０１においては、ＬＥＤ１０７からの光はプッシュノブ１０４の照明には利用されていないため、乗員は、必要なプッシュノブ１０４を正確に操作することができず、操作性が損なわれるという問題があった。
【０００８】
上記問題を解決するためには別にＬＥＤや導光レンズを追加する必要があるため、操作スイッチパネルがコストアップするという問題が発生する。
【０００９】
本発明は上記問題に鑑みてなされたもので、その目的とする処は、簡単な構造でプッシュノブを間接照明して夜間での操作性を高めることができる操作スイッチパネルを提供することにある。
【課題を解決するための手段】
【００１０】
上記目的を達成するため、請求項１記載の発明は、ケースの前面を覆うパネルにプッシュノブとその機能を示す表示部を配置するとともに、前記ケース内の隔壁によって区画された空間内に、前記表示部の夜間照明用の光源を配置して成る操作スイッチパネルにおいて、前記隔壁の一部に切欠部を形成し、該切欠部から漏れる前記光源の光の一部で前記プッシュノブを間接照明するよう構成したことを特徴とする。
【００１１】
請求項２記載の発明は、請求項１記載の発明において、前記プッシュノブは、その表面がメッキ処理又は銀色塗装処理されていることを特徴とする。
【発明の効果】
【００１２】
請求項１記載の発明によれば、プッシュノブを照明するための別の光源等を設けることなく、隔壁の一部を切欠くだけの簡単な構成で光源の光を隔壁の切欠部から漏らしてプッシュノブを間接照明することができるため、夜間にプッシュノブを容易に視認することができ、該プッシュノブの操作性が高められる。このように、表示部を照明するための光源の光の一部をプッシュノブの間接照明に利用するようにしたため、プッシュノブを照明するためのＬＥＤや導光レンズを別途設ける必要がなく、部品点数を削減して当該操作スイッチパネルのコストダウンを図ることができる。
【００１３】
請求項２記載の発明によれば、プッシュノブの表面にメッキ処理又は銀色塗装処理を施したため、該プッシュノブの夜間での間接照明を際立たせることができる。
【図面の簡単な説明】
【００１４】
【図１】本発明に係る操作スイッチパネルの部分正面図である。
【図２】図１のＡ−Ａ線断面図である。
【図３】従来の操作スイッチパネルの部分断面図である。
【発明を実施するための形態】
【００１５】
以下に本発明の実施の形態を添付図面に基づいて説明する。
【００１６】
図１は本発明に係る操作スイッチパネルの部分正面図、図２は図１のＡ−Ａ線断面図であり、図示の操作スイッチパネル１は、自動車の車室内に設けられるものであって、図２に示すように、そのケース２の前面開口部はパネル３によって覆われている。
【００１７】
上記パネル３の下部には、図１に示すように、押圧操作される複数のプッシュノブ４ａ，４ｂ，４ｃの矩形の頭部（操作部）が横方向に並んで突出しており、パネル３の各プッシュノブ４ａ〜４ｃの上には、各プッシュノブ４ａ〜４ｃの機能、具体的には風の吹出方向を示す絵柄の表示部５ａと、空調のＯＦＦ操作を示す「ＯＦＦ」の表示部５ｂ、空調のＯＮ操作を示す「ＯＮ」の表示部５ｃがそれぞれ配置されている。尚、本実施の形態では、各プッシュノブ４ａ〜４ｃの頭部（操作部）の表面にはクロムメッキ等のメッキ処理が施されている。
【００１８】
又、ケース２の内部には、図２に示すように、ケース２に一体に形成された略水平の隔壁２Ａによって空間Ｓが形成されており、ケース２の奥側に配置された基板６には、前記空間Ｓに臨むＬＥＤ７と、前記プッシュノブ４ａ〜４ｃによって操作されるタクトスイッチ８が実装されている。尚、パネル３の表示部５ａ〜５ｃが配置された部分の奥側に前記空間ＳとＬＥＤ７が配置されている。
【００１９】
ところで、本実施の形態では、ケース２に一体に形成された隔壁２Ａは、その前端がパネル３の内面に突き当てられておらず、隔壁２Ａの前端部には切欠部２ａが形成されている。
【００２０】
而して、夜間においては、ＬＥＤ７が起動されて発光するが、その光は、ケース２内の空間Ｓを前方（図２の左方）に向かって進み、パネル３に配置された表示部５ａ〜５ｃを照明するとともに、その一部は、図２に矢印にて示すように、隔壁２Ａの前端部に形成された切欠部２ａから空間Ｓ外へと漏れて各プッシュノブ４ａ〜４ｃの頭部（操作部）を間接照明する。このため、夜間においては、乗員は、表示部５ａ〜５ｃとプッシュノブ４ａ〜４ｃの双方を容易に視認することができる。
【００２１】
以上のように、本実施の形態に係る操作スイッチパネル１によれば、プッシュノブ４ａ〜４ｃを照明するための別のＬＥＤ等を設けることなく、隔壁２Ａの一部を切欠くだけの簡単な構成でＬＥＤ７の光を隔壁２Ａの切欠部２ａから漏らしてプッシュノブ４ａ〜４ｃの間接照明に供することができるため、夜間でプッシュノブ４ａ〜４ｃを容易に視認することができ、該プッシュノブ４ａ〜４ｃの操作性が高められる。このように、表示部５ａ〜５ｃを照明するためのＬＥＤ７の光の一部をプッシュノブ４ａ〜４ｃの間接照明に利用するようにしたため、プッシュノブ４ａ〜４ｃを照明するためのＬＥＤや導光レンズを別途設ける必要がなく、部品点数を削減して当該操作スイッチパネル１のコストダウンを図ることができる。
【００２２】
又、本実施の形態では、プッシュノブ４ａ〜４ｃの頭部（操作部）の表面にメッキ処理を施したため、該プッシュノブ４ａ〜４ｃの夜間での間接照明を際立たせることができる。尚、プッシュノブ４ａ〜４ｃの頭部（操作部）の表面に高反射銀色塗装処理を施しても良い。
【００２３】
尚、以上は本発明を空調制御用の操作スイッチパネルに対して適用した形態について説明したが、本発明は、他の任意の操作スイッチパネルに対しても同様に適用可能であることは勿論である。
【符号の説明】
【００２４】
１          操作スイッチパネル
２          ケース
２Ａ        ケースの隔壁
２ａ        隔壁の切欠部
３          パネル
４ａ〜４ｃ  プッシュノブ
５ａ〜５ｃ  表示部
６          基板
７          ＬＥＤ（光源）
８          タクトスイッチ
Ｓ          空間
【図１】
2017091985.tif 000003
【図２】
2017091985.tif 000004
【図３】
2017091985.tif 000005